(57)【要約】【課題】低周波点灯の放電灯点灯装置において、配線が長くても効率的に始動電圧を確保する。【解決手段】放電ランプ点灯装置において、放電ランプに１ｋＨｚ以下の低周波電力又は直流電力を供給するための電力供給回路、放電ランプに始動電圧を印加するためのイグナイタ回路、及び電力供給回路の出力端とイグナイタ回路の入力端を接続する電線からなり、イグナイタ回路が、電線からの入力電圧を整流する整流回路、整流回路の出力から１次交流電圧を発生する１次電圧発生回路、及び１次交流電圧を２次交流電圧に変換するトランスを備え、電線からの入力電圧に２次交流電圧を重畳するように構成した。【選択図】図１Ｂ
2010182564.tif 000002
【特許請求の範囲】
【請求項１】
放電ランプ点灯装置であって、
放電ランプに１ｋＨｚ以下の低周波電力又は直流電力を供給するための電力供給回路、
該放電ランプに始動電圧を印加するためのイグナイタ回路、及び
該電力供給回路の出力端と該イグナイタ回路の入力端を接続する電線
からなり、
前記イグナイタ回路が、前記電線からの入力電圧を整流する整流回路、該整流回路の出力から１次交流電圧を発生する１次電圧発生回路、及び該１次交流電圧を２次交流電圧に変換するトランスを備え、前記電線からの入力電圧に該２次交流電圧を重畳するように構成され、
前記１次電圧発生回路が、整流回路の出力を高周波変換するブリッジ回路、並びに該ブリッジ回路の出力を共振させるインダクタ及びコンデンサを備え、該インダクタの全部又は一部が前記トランスの１次巻線であり、前記トランスの２次巻線が前記放電ランプに直列接続される放電ランプ点灯装置。
【請求項２】
請求項１の放電ランプ点灯装置において、前記トランスについて、前記２次交流電圧が発生する２次巻線の巻数が、前記１次交流電圧が発生する１次巻線の巻数よりも多い放電ランプ点灯装置。
【請求項３】
光源装置であって、
放電ランプ、
該放電ランプに１ｋＨｚ以下の低周波電力又は直流電力を供給するための電力供給回路が内包された第１のユニット、
該放電ランプに始動電圧を印加するためのイグナイタ回路が内包された第２のユニット、
該第１のユニットの出力端と該第２のユニットの入力端を接続する電線、及び
該第２のユニットの出力端と該放電ランプを接続する配線
からなり、
前記イグナイタ回路が、前記電線からの入力電圧を整流する整流回路、該整流回路の出力から１次交流電圧を発生する１次電圧発生回路、及び該１次交流電圧を２次交流電圧に変換するトランスを備え、前記電線からの入力電圧に該２次交流電圧を重畳するように構成され、
前記１次電圧発生回路が、整流回路の出力を高周波変換するブリッジ回路、並びに該ブリッジ回路の出力を共振させるインダクタ及びコンデンサを備え、該インダクタの全部又は一部が前記トランスの１次巻線であり、前記トランスの２次巻線が前記放電ランプに直列接続される光源装置。
【請求項４】
放電ランプと該放電ランプに電力を供給する装置の間に接続されるイグナイタであって、
該装置側に接続される第１及び第２の入力端、
該放電ランプ側に接続される第１及び第２の出力端、
該第１及び第２の入力端からの入力電圧を整流する整流回路、
該整流回路の出力を高周波変換するブリッジ回路、及び
該ブリッジ回路の出力を共振させるインダクタ及びコンデンサ
を備え、
該インダクタの全部又は一部がトランスの１次巻線からなり、該第１の入力端が該第１の出力端に接続され、該第２の入力端が該トランスの２次巻線を介して該第２の出力端に接続されたイグナイタ。
【請求項５】
請求項４のイグナイタにおいて、前記トランスについて、前記２次巻線の巻数が前記１次巻線の巻数よりも多いイグナイタ。
【発明の詳細な説明】
【技術分野】
【０００１】
本発明は、低周波の矩形波電流又は直流電流にて低圧放電ランプおよび高圧放電ランプを点灯させる放電ランプ点灯装置、光源装置及びイグナイタに関する。
【背景技術】
【０００２】
高圧水銀ランプ、高圧ナトリウムランプやメタルハライドランプなどの高圧放電ランプは蛍光灯電子安定器のように高周波電流を供給する点灯装置で点灯させると、多くの点灯周波数領域で所謂、音響的共鳴現象が発生し、放電が不安定になりアークが揺らぎ、最悪の場合、立ち消えに至ってしまう。従って、高圧放電ランプは低周波電流又は直流電流で点灯するのが一般的である。
なお、本明細書では、「低周波」を１ｋＨｚ以下の周波数と定義し、「高周波」を１ｋＨｚ超の周波数と定義する。
【０００３】
また、低圧放電ランプの場合、高周波電流にて点灯させても、高圧放電ランプのような音響的共鳴現象は発生することはないが、例えば産業機器等に使用されるランプの場合、点灯装置とランプまでの距離が一定でなく、設置される環境により、その距離は数メートルから数十メートルに達するなど様々である。点灯装置からランプ設置場所までの距離が長い場合は、点灯装置とランプを接続する電線にインダクタンス成分や容量成分が発生し、また電線の長さや配線方法によっても、その値は変化することになる。このような環境で高周波電流を供給すると電線のインダクタンスや容量がインピーダンスとなりランプに定格電流を供給できなかったり、ランプ点灯前の無負荷２次電圧が低下しランプの始動性に問題が生じてしまったり、点灯装置の動作に影響を及ぼし、最悪の場合、点灯装置の故障を引き起こす原因となり得る。
【０００４】
そのため、近年では図３に示すような回路構成により、低周波の矩形波電流で放電ランプを点灯させ、高圧放電ランプに対する音響的共鳴現象の回避、および配線長の影響を受け難く安定した放電が得られる放電ランプ点灯装置が普及してきている。
図３に示す点灯装置の動作は商用電源１（一般的には変動範囲も含め８５Ｖ〜２７６Ｖ）を全波整流器２にて整流した脈流電圧を昇圧チョッパ回路３で構成される力率改善回路により入力力率を改善しつつ、商用電圧を安定した直流電圧に変換しランプ電流を制御する降圧チョッパ回路４に直流電圧を供給するものである。
【０００５】
ここで一般的には昇圧チョッパ回路３が理想的な力率改善を行うには電源電圧のピーク値（２７６Ｖの１．４１倍＝３８９Ｖ）より高い電圧に変換する必要がある。しかし、変換する電圧を高く設定すると昇圧チョッパ回路３を構成するコイル３１、トランジスタ３２、ダイオード３３、コンデンサ３４等の部品や、その出力電圧を受けて動作する降圧チョッパ回路４やブリッジ回路５を構成する部品への印加電圧が大きくなり、結果的に点灯装置のコストアップや小型化を妨げる要因となったりスイッチング損失が増大してしまったりするため、昇圧チョッパ回路３の出力電圧は４００Ｖ程度に設定するのが一般的である。なお、以下の説明では昇圧チョッパ回路の出力電圧は４００Ｖに設定されているものとする。
【０００６】
降圧チョッパ回路４はトランジスタ４１、ダイオード４２、コイル４３、コンデンサ４４等で構成される。降圧チョッパ回路４は、昇圧チョッパ回路３の出力電圧を受け、トランジスタ４１の導通期間をＰＷＭ制御でコントロールすることにより制限された任意の直流電流をブリッジ回路５に供給する。即ち、降圧チョッパ回路４は、後述するブリッジ回路５によって交流変換され、イグナイタ回路６及び電線７を介して放電ランプ８へ供給される電力の制御を行う。
【０００７】
また、放電ランプ８が点灯するまでは降圧チョッパ回路４に電流が流れないため、降圧チョッパ回路４の出力電圧は昇圧チョッパ回路３の出力電圧である４００Ｖとほぼ等しい値となる。一方、放電ランプ８が点灯している時は、その出力電圧は（降圧チョッパ回路４により制限された電流によって発生する）放電ランプ８の電圧とほぼ等しい値となる。
【０００８】
ブリッジ回路５は、それを構成するトランジスタ５１、５４とトランジスタ５２、５３を低周波で交互にＯＮ／ＯＦＦさせることにより低周波の交流に変換した矩形波電流を、トランジスタ５１とトランジスタ５２、トランジスタ５３とトランジスタ５４のそれぞれの中点から放電ランプ８に供給する。
【０００９】
イグナイタ回路６は放電ランプ８が非点灯時は、降圧チョッパ回路４の４００Ｖの出力電圧を受ける。この電圧により抵抗６１を介してコンデンサ６２が充電され電圧が上昇する。コンデンサ６２の両端にはパルストランス６４の１次巻線と半導体スイッチ６３（設定電圧になると導通する素子）が接続されている。コンデンサ６２端の電圧が半導体スイッチ６３の設定電圧になると半導体スイッチ６３は導通となり、コンデンサ６２の電圧がパルストランス６４の１次巻線に印加され、その巻数に応じた電圧がパルストランスの２次巻線に発生し、結果的に放電ランプ８端にパルス電圧が印加される（図４参照）。このパルス電圧により放電ランプ８が絶縁破壊を起こし、降圧チョッパ回路４で制限される電流にて放電を開始する。また、放電ランプ８が放電を開始すると降圧チョッパ回路４の出力電圧は放電ランプ８の電圧まで低下するため、半導体スイッチ６３の設定電圧を放電ランプ８のランプ電圧より高い値に設定しておくことにより、放電ランプ８が点灯した後はイグナイタ回路６は機能を停止することになる。
一般的に放電ランプはランプの種類によっても差異はあるが、スムーズな絶縁破壊を行うためにはパルス電圧などの高いピーク電圧に加え、ランプ電圧の２倍以上の実効値電圧を印加することが必要となる。
【００１０】
そのため、図３で示す回路の場合、昇圧チョッパ回路３の出力電圧を一般的な値である４００Ｖに設定すると、無負荷時の２次電圧波形は図４に示す４００Ｖの矩形波電圧にパルス電圧が重畳した波形となるため、前述したスムーズな絶縁破壊を行うために必要な実効電圧が２００Ｖ以上の放電ランプ電圧の場合、実効値電圧４００Ｖではランプの始動性に問題が生じてしまう場合がある。
【００１１】
そこで、昇圧チョッパ回路３のスイッチング損失増大などの弊害を防ぎつつ、放電ランプ点灯装置の無負荷時の２次電圧の実効値を高めるために、図５に示すように昇圧トランス４５を用いた絶縁タイプのフルブリッジ回路４を用いて、図６に示すようにより高い電圧の矩形波にパルスを重畳するスイッチング回路を構成する点灯装置が考えられる。
【００１２】
図５に示す点灯装置では、コンバータ４は、トランジスタ４１、４４とトランジスタ４２、４３を高速で交互に導通させ、かつ導通期間をＰＷＭ制御でコントロールすることにより制限された任意の直流電流をブリッジ回路５に供給する。即ち、本装置でもコンバータ４が放電ランプ８へ供給される電力の制御を行う。
また、放電ランプ８が点灯するまでは昇圧チョッパ回路３の出力電圧である４００Ｖの電圧に対し、昇圧トランス４５の昇圧比倍の電圧が出力される。例えば昇圧比を１．５とすると、図６に示すように６００Ｖの２次電圧にパルス電圧が重畳した電圧波形となる。
【００１３】
これにより、図３の回路と比較すると、より高いランプ電圧の放電ランプまで点灯させることが可能となるが、反面、絶縁タイプのフルブリッジ回路４の容量（無負荷電圧×短絡電流）が大きくなり、その部分のコスト及びサイズアップとなってしまう。また、低周波のブリッジ回路５に印加される電圧も高くなるため、その部分でもコストアップや損失が増大してしまう問題がある。
【００１４】
また、昇圧チョッパ回路３のスイッチング損失増大などの弊害を防ぎつつ、放電ランプ点灯装置の無負荷時の２次電圧を高める方法としては、図７に示すようにイグナイタ回路６をＬＣ共振回路で構成した点灯装置も考えられる。
【００１５】
図７に示す点灯方式の場合、放電ランプ８が点灯するまではブリッジ回路５のトランジスタ５１、５４とトランジスタ５２、５３を共振コイル６１のインダクタンスと共振コンデンサ６２の容量で決まる共振周波数ｆ０（又は共振周波数の１／３若しくは１／５の周波数）に近い周波数で交互に導通させることにより、昇圧チョッパ回路３、降圧チョッパ回路４、ブリッジ回路５に使用する部品の耐圧を変更せず、かつ損失を増やさずに、図８に示すようなピーク値および実効値の高い高周波の２次電圧を得ることが可能となる。なお、図７に示す回路では放電ランプが放電を開始した後は図３や図５と同じような周波数にブリッジ回路５の動作周波数を下げることにより低周波の矩形波電流で放電ランプ８は点灯を維持することになる。また、図７に示す回路においては高い共振電圧が得られるためパルストランスを省略しているが、さらに始動性を良くするため図３や図５と同様にパルストランスも含んだイグナイタ回路とすることもできる。
【００１６】
これにより、図３の回路と比較すると、より高いランプ電圧の放電ランプまで点灯させることが可能となるが、反面、点灯装置からランプ設置場所までの距離が長い場合は、図９に示すように点灯装置と放電ランプを接続する電線７間に容量７１、７２が発生し、それがイグナイタ回路６の共振コイル６１のインダクタンスと共振コンデンサ６２の容量に加わってしまうため共振周波数ｆ０（又は共振周波数の１／３若しくは１／５の周波数）が図１０に示すようにｆ１やｆ２にシフトしてしまう。そのため本来、共振周波数ｆ０の時に得られる共振電圧Ｖ０はＶ１やＶ２へ低下してしまいランプの始動性が低下してしまうという問題があり、ランプ点灯後においては定格電流を供給できないという問題もある。
【００１７】
さらに、放電ランプが放電を開始するまでは、高周波の高い共振電圧が点灯装置と放電ランプを接続する電線７間に印加され、電線長が長い場合は特に、電線から発生する輻射ノイズによる周辺機器への障害も懸念される。
【先行技術文献】
【特許文献】
【００１８】
特開平８−２１３１８１号公報
【発明の概要】
【発明が解決しようとする課題】
【００１９】
以上のように従来の放電ランプ点灯装置（例えば、図３）においては、点灯時のランプ電圧が高いランプでは始動性に問題があり、それを改善するために昇圧チョッパ回路の出力電圧を高めた設計にすると点灯装置のコストアップや小型化を妨げる要因となり、それに加えスイッチング損失が増大してしまうという問題があった。
また、昇圧チョッパ回路の出力電圧を変更しないで電流制限をおこなう降圧チョッパ回路の代わりにトランスで昇圧させるフルブリッジ回路などのスイッチング回路にした場合（例えば、図５）、スイッチング回路の容量（無負荷電圧×短絡電流）が大きくなり、その部分のコストアップとなり、それに加え、低周波のブリッジ回路に印加される電圧も高くなるため、その部分でもコストアップや損失が増大しまうという問題があった。
また、ランプ始動時にブリッジ回路を高速で動作させブリッジ回路に接続したＬＣ共振回路の高い共振電圧を利用して放電ランプを始動させる回路にした場合（例えば、図７）、点灯装置のコストアップやスイッチング損失の増大は抑制できるが、点灯装置からランプ設置場所までの距離が長い場合、点灯装置とランプを接続する電線間の容量の影響を受け共振電圧が低下しランプの始動性が低下してしまう問題やランプ点灯後において定格電流を供給できないという問題があった。さらには、放電ランプ始動時における周辺機器へのノイズ障害が問題となっていた。
【課題を解決するための手段】
【００２０】
本発明の第１の側面は、放電ランプ点灯装置であって、放電ランプに１ｋＨｚ以下の低周波電力又は直流電力を供給するための電力供給回路、放電ランプに始動電圧を印加するためのイグナイタ回路、及び電力供給回路の出力端とイグナイタ回路の入力端を接続する電線からなり、イグナイタ回路が、電線からの入力電圧を整流する整流回路、整流回路の出力から１次交流電圧を発生する１次電圧発生回路、及び１次交流電圧を２次交流電圧に変換するトランスを備え、電線からの入力電圧に２次交流電圧を重畳するように構成され、１次電圧発生回路が、整流回路の出力を高周波変換するブリッジ回路、並びにブリッジ回路の出力を共振させるインダクタ及びコンデンサを備え、インダクタの全部又は一部がトランスの１次巻線であり、トランスの２次巻線が放電ランプに直列接続される放電ランプ点灯装置である。
【００２１】
また、トランスについて、２次交流電圧が発生する２次巻線の巻数が、１次交流電圧が発生する１次巻線の巻数よりも多くなるようにした。
【００２２】
本発明の第２の側面は、光源装置であって、放電ランプ、放電ランプに１ｋＨｚ以下の低周波電力又は直流電力を供給するための電力供給回路が内包された第１のユニット、放電ランプに始動電圧を印加するためのイグナイタ回路が内包された第２のユニット、第１のユニットの出力端と該第２のユニットの入力端を接続する電線、及び第２のユニットの出力端と該放電ランプを接続する配線からなり、イグナイタ回路が、電線からの入力電圧を整流する整流回路、整流回路の出力から１次交流電圧を発生する１次電圧発生回路、及び１次交流電圧を２次交流電圧に変換するトランスを備え、電線からの入力電圧に２次交流電圧を重畳するように構成され、１次電圧発生回路が、整流回路の出力を高周波変換するブリッジ回路、並びにブリッジ回路の出力を共振させるインダクタ及びコンデンサを備え、インダクタがトランスの１次巻線であり、トランスの２次巻線が放電ランプに直列接続される光源装置である。
ここで、上記電線が上記配線よりも長いものとする。
【００２３】
本発明の第３の側面は、放電ランプと、放電ランプに電力を供給する装置の間に接続されるイグナイタであって、装置側に接続される第１及び第２の入力端、放電ランプ側に接続される第１及び第２の出力端、第１及び第２の入力端からの入力電圧を整流する整流回路、整流回路の出力を高周波変換するブリッジ回路、及びブリッジ回路の出力を共振させるインダクタ及びコンデンサを備え、インダクタの全部又は一部がトランスの１次巻線からなり、第１の入力端が第１の出力端に接続され、第２の入力端がトランスの２次巻線を介して第２の出力端に接続されたイグナイタである。
ここで、トランスについて、２次巻線の巻数が１次巻線の巻数よりも多くなるようにした。
【図面の簡単な説明】
【００２４】
【図１Ａ】本発明の放電ランプ点灯装置のブロック図である。
【図１Ｂ】本発明の実施例による放電ランプ点灯装置の回路構成図である。
【図１Ｃ】本発明の変形例による放電ランプ点灯装置の回路構成図である。
【図２】本発明における放電ランプ点灯装置の無負荷２次電圧例を示す図である。
【図３】従来の放電ランプ点灯装置の回路構成図である。
【図４】従来の放電ランプ点灯装置の無負荷２次電圧例を示す図である。
【図５】従来の放電ランプ点灯装置の回路構成図である。
【図６】従来の放電ランプ点灯装置の無負荷２次電圧例を示す図である。
【図７】従来の放電ランプ点灯装置の回路構成図である。
【図８】従来の放電ランプ点灯装置の無負荷２次電圧例を示す図である。
【図９】図７における従来の放電ランプ点灯装置の点灯装置と放電ランプを接続する電線の分布容量を示す図である。
【図１０】図７における従来の放電ランプ点灯装置において点灯装置と放電ランプを接続する電線に分布容量が加わった時の無負荷２次電圧特性を示す図である。
【発明を実施するための形態】
【００２５】
図１Ａは本発明の実施例を概説するブロック図である。放電ランプ点灯装置は、放電ランプ８に１ｋＨｚ以下の低周波電力又は直流電力を供給するための電力供給回路１００、放電ランプ８に始動電圧を印加するためのイグナイタ回路６００、及び電力供給回路１００の出力端とイグナイタ回路６００の入力端を接続する電線７からなる。
【００２６】
図１Ｂは図１Ａの放電ランプ点灯装置を具体的に示した回路構成図である。電力供給回路１００には全波整流器２、昇圧チョッパ回路３、降圧チョッパ回路４、ブリッジ回路５が含まれ、これらの構成は図３又は図７に示したものと同様であるため同一符号を付し、その説明を省略する。なお、商用電源１（８５〜２７６Ｖを想定）、電線７及び放電ランプ８も図３又は図７に示したものと同様であるため同一符号を付し、その説明を省略する。
【００２７】
本実施例ではイグナイタ回路６００が従来の各イグナイタ回路６とは異なる。
イグナイタ回路６００は、電線７（電力供給回路１００）からの入力電圧を整流する整流回路６１０、整流回路６１０の出力から１次交流電圧を発生する１次電圧発生回路６２０、及び１次交流電圧を２次交流電圧に変換するトランス６３０を備え、電線７（電力供給回路１００）からの入力電圧に上記２次交流電圧を重畳するように構成されている。即ち、ブリッジ回路５の中点がランプ８の両端に接続されるとともに、整流回路６１０の入力にも接続される。
【００２８】
そして、電力供給回路１００が第１のユニット（筐体）に、イグナイタ回路６００がランプ８に近い第２のユニット（筐体）に収容されるようにして（各筐体は不図示）、第１のユニットと第２のユニットが電線７で接続され、第２のユニットと放電ランプ８が配線９で接続されると光源装置が完成する。なお、電線７は配線９に比べて十分長い（言い換えると、配線９は電気特性上の影響を実質的に無視できるほど短い）。
【００２９】
ここで、整流回路６１０は整流器６１１及びコンデンサ６１２からなり、放電ランプ始動前には、ブリッジ回路５の中点から供給される４００Ｖの低周波の矩形波電圧を整流平滑して４００Ｖの直流電圧に変換する。
【００３０】
１次電圧発生回路６２０は、整流回路６１０の出力を高周波変換するトランジスタ６２１及び６２２からなるハーフブリッジ回路、並びにハーフブリッジ回路の出力を共振させるインダクタ６３０ａ及びコンデンサ６２３を備える。ここで、好適な実施例としてインダクタ６３０ａをトランス６３０の１次巻線と兼ねているが、インダクタとしてトランス６３０とは別個のコイルを用いてもよい（言い換えると、インダクタの全部又は一部がトランス６３０の１次巻線からなるようにしてもよい）。そして、トランスの２次巻線６３０ｂがランプ８に直列接続される。
【００３１】
トランジスタ６２１、６２２は、１次巻線６３０ａのインダクタンスと共振コンデンサ６２３の容量で決まる共振周波数ｆ０（又は共振周波数の１／３若しくは１／５の周波数）に近い周波数で交互に導通され、これにより１次巻線６３０ａの両端に高周波の高い共振電圧を得ることができる。なお、各トランジスタ３２、４１、５１−５４、６２１及び６２２は各ブロック内の図示しない制御回路によって適宜制御されるものとする。
【００３２】
その結果、トランス６３０の２次巻線６３０ｂには、その巻数比に応じた高周波の高い共振電圧が発生し、これがブリッジ回路５から供給される４００Ｖの低周波の矩形波電圧に重畳される。これにより、図２に示す電圧が放電ランプ８端に印加され、放電ランプ８は放電を開始することができる。また、放電ランプ８が点灯した後にトランジスタ６２１、６２２の動作を停止させることによりイグナイタ回路６００は機能を停止する。
【００３３】
上記回路構成及び動作では点灯装置からランプ設置場所までの距離が長く点灯装置と放電ランプを接続する電線７間に大きな容量が発生しても、放電ランプ８が放電を開始する前に電線間に印加される電圧は低周波の矩形波電圧であるため、電線７の容量の影響を受けることはない。従って、設定された二次電圧をイグナイタ回路６００に供給することができる。更に点灯装置と放電ランプ８を接続する電線７間には放電ランプ８が放電を開始する前も低周波の矩形波電圧しか印加化されないため、周辺機器へのノイズ障害の懸念も解消される。
【００３４】
また、本実施例の場合、図７に示す従来例とは異なり４００Ｖの低周波の矩形波電圧に高周波電圧が重畳されるため、ＬＣ共振回路で発生する共振電圧が同じ大きさであっても、放電ランプ８端への印加電圧として得られる電圧は本実施例の方が高いというメリットもある。
【００３５】
このように、本発明によると、高周波の交流電圧を供給するための新たなスイッチング回路を点灯装置と放電ランプを接続する電線の放電ランプ側に設けたことにより、点灯装置からランプ設置場所までの距離が長い場合でも、共振回路は電線間の容量の影響を受け共振電圧が低下することなく設定された無負荷２次電圧を放電ランプ端に印加させることが可能となるとともに、ランプ点灯後において定格電流を供給することが可能となった。また、上記回路構成により点灯装置と放電ランプを接続する電線間には従来通りの低周波の矩形波の２次電圧が印加されるため、放電ランプ始動時における周辺機器へのノイズ障害の懸念も解消された。
【００３６】
また、１次電圧発生回路６２０をブリッジ回路及び共振回路で構成することにより、図２に示すように連続的に高電圧を発生させることができるので、パルス始動でないランプ（例えば、蛍光ランプ等）の始動回路としても使用できる。
またさらに、１次電圧発生回路６２０のブリッジ回路の駆動周波数の設定を調整することにより所望の始動電圧を設定することができる。従って、始動電圧が異なる多種のランプに対して使用部品を変更することなく対応することができ、生産管理上好ましい。
【００３７】
また、実施例として放電ランプ点灯装置及び光源装置を示したが、イグナイタ回路６００が含まれる第２のユニットを既存の電力供給回路１００と放電ランプ８の間に接続して（汎用のイグナイタとして）使用することもできる。
この場合も、１次電圧発生回路６２０のブリッジ回路の駆動周波数の設定を調整することにより所望の始動電圧を出力するイグナイタとすることができる。その意味でも、１次電圧発生回路６２０をブリッジ回路で構成することに意義がある。
【００３８】
＜変形例＞
上記は本発明の最も好適な実施例を示すものであるが、以下のような変形も可能である。
上記実施例では、電力供給回路１００として交流出力回路の例を示したが、電力供給回路１００は直流出力回路であってもよい。この場合、当業者には分かるように、整流器６１１は単一のダイオードであればよい。
【００３９】
例えば、図１Ｂの回路図では整流器６１１を全波整流回路として図示しているが、半波整流回路、倍電圧整流回路等、当業者に周知の整流回路とすることができる。
【００４０】
図１Ｂの実施例では、イグナイタ回路６００においてＬＣ共振回路に高周波電圧を印加するスイッチング回路をハーフブリッジ回路としているが、図１Ｃに示すように、トランジスタ６２５〜６２８からなるフルブリッジ回路としても同等の効果が得られる。
【００４１】
上記実施例では、高い始動電圧を必要とするランプ８を点灯させるためにトランス６３０の巻線比について、１次巻数＜２次巻数としたが、（電圧ばらつきは抑えたいが）それほど高い始動電圧を必要としないランプの場合には、１次巻数≧２次巻数としてもよい。
【符号の説明】
【００４２】
２．全波整流器
３．昇圧チョッパ回路
４．降圧チョッパ回路
５．ブリッジ回路
７．電線
８．放電ランプ
９．配線
１００．電力供給回路
６００．イグナイタ回路
６１０．整流回路
６１１．整流器
６１２．コンデンサ
６２０．１次電圧発生回路
６２１、６２２、６２５、６２６、６２７、６２８．トランジスタ
６２３．コンデンサ
６３０．トランス
６３０ａ．１次巻線
６３０ｂ．２次巻線
【図１Ａ】
2010182564.tif 000003
【図１Ｂ】
2010182564.tif 000004
【図１Ｃ】
2010182564.tif 000005
【図２】
2010182564.tif 000006
【図３】
2010182564.tif 000007
【図４】
2010182564.tif 000008
【図５】
2010182564.tif 000009
【図６】
2010182564.tif 000010
【図７】
2010182564.tif 000011
【図８】
2010182564.tif 000012
【図９】
2010182564.tif 000013
【図１０】
2010182564.tif 000014